(57)【要約】【課題】花粉を衣類からムラなく効率的に除去することができる洗濯乾燥機を提供する。【解決手段】衣類が投入される内槽５の底部に回転自在に設けられた回転翼８と、回転翼８を駆動するモータ１１と、送風ファン１２により内槽５内に送風される空気を加熱するヒータ１３と、送風ファン１２の上流側に配され花粉を捕集する花粉捕集フィルタ１５と、送風ファン１２による送風を行いながら、回転翼８をモータ１１で同一回転方向に第１の目標回転数と第２の目標回転数で回転数を変動させながら回転駆動する第１のシーケンスと、同一回転数で左右同一反転を連続的に繰り返す第２のシーケンスとを連続的に繰り返し行うコースを有するもので、送風ファン１２で舞い上がった花粉を花粉捕集フィルタ１５で捕集するだけでなく、第１、２のシーケンスで繰り返し駆動される回転翼８の回転により衣類から花粉を効率よくふるい落とすことができる。【選択図】図１
2006000356.tif 000002
【特許請求の範囲】
【請求項１】
筐体内に弾性的に吊支された外槽と、前記外槽内に回転自在に支持されると共に衣類が投入される内槽と、前記内槽の底部に回転自在に設けられた回転翼と、前記回転翼を駆動する駆動手段と、前記内槽内に送風する送風手段と、前記送風手段により送風される空気を加熱する加熱手段と、前記送風手段の上流側に配され花粉を捕集する花粉捕集フィルタと、前記送風手段による送風を行いながら、前記回転翼を前記駆動手段で同一回転方向に第１の目標回転数と第２の目標回転数で回転数を変動させながら回転駆動する第１のシーケンスと、同一回転数で左右同一反転を連続的に繰り返す第２のシーケンスとを連続的に繰り返し行うコースを有する洗濯乾燥機。
【請求項２】
第１の目標回転数よりも第２の目標回転数の方を大きく設定した請求項１に記載の洗濯乾燥機。
【請求項３】
第１の目標回転数で駆動する時限よりも第２の目標回転数で駆動する時限の方を長く設定した請求項１又は２に記載の洗濯乾燥機。
【請求項４】
内槽に投入された衣類の量を検知する布量検知手段を備え、前記衣類の量に応じて第１のシーケンスと第２のシーケンスにおける回転翼の回転時限または／および運転時間を変化させることを特徴とする請求項１〜３のいずれか１項に記載の洗濯乾燥機。
【発明の詳細な説明】
【技術分野】
【０００１】
本発明は、衣類の洗濯と乾燥機能を有する洗濯乾燥機に関するものである。
【背景技術】
【０００２】
従来、ドラム回転によるタンブリング効果で衣類に付着した花粉をたたき出し、ドラム内に配設された花粉フィルタによってこれを除去する機能を有する衣類乾燥機が提案されている（例えば、特許文献１及び２参照）。
【特許文献１】特許第３０３７０６３号公報
【特許文献２】特開２０００−１６７２９９号公報
【発明の開示】
【発明が解決しようとする課題】
【０００３】
近年、洗濯から乾燥までをスルーで運転できる洗濯乾燥機が主流となっている。これは洗い、すすぎ、脱水、乾燥の全行程を同一洗濯槽内で完結するものである。
【０００４】
しかし従来のドラム方式では、洗濯槽内に花粉捕集フィルタを配設しなければならず、構成上洗濯乾燥機においては同様の構成で花粉を除去することは難しい。また、洗濯乾燥機には、主に日本で使われているパルセータ方式と、欧州で使われているドラム方式があり、パルセータ方式の場合には、タンブリングによる機械力を加えることも構成上出来ない。
【０００５】
本発明は、前記従来の課題を解決するもので、パルセータ方式においても、花粉を衣類からムラなく効率的に除去することができる洗濯乾燥機を提供することを目的とする。
【課題を解決するための手段】
【０００６】
前記従来の課題を解決するために、本発明の洗濯乾燥機は、筐体内に弾性的に吊支された外槽と、前記外槽内に回転自在に支持されると共に衣類が投入される内槽と、前記内槽の底部に回転自在に設けられた回転翼と、前記回転翼を駆動する駆動手段と、前記内槽内に送風する送風手段と、前記送風手段により送風される空気を加熱する加熱手段と、前記送風手段の上流側に配され花粉を捕集する花粉捕集フィルタと、前記送風手段による送風を行いながら、前記回転翼を前記駆動手段で同一回転方向に第１の目標回転数と第２の目標回転数で回転数を変動させながら回転駆動する第１のシーケンスと、同一回転数で左右同一反転を連続的に繰り返す第２のシーケンスとを連続的に繰り返し行うコースを有するもので、送風手段による風で舞い上がっている経路内の花粉を花粉捕集フィルタでろ過して捕集するだけでなく、第１、第２のシーケンスで繰り返し駆動される回転翼の回転により衣類から花粉を効率よくふるい落とし、外槽底部に沈降回収する除去手段を持つことで、花粉を衣類からより効率的に除去する事ができる。
【発明の効果】
【０００７】
本発明の洗濯乾燥機は、衣類に付着した花粉や、送風手段で洗濯槽内に吸い込まれる花粉を、最適化された回転翼の回転により花粉を衣類から効率よくふるい落とし、ムラなく効率的に除去することができる。
【発明を実施するための最良の形態】
【０００８】
第１の発明は、筐体内に弾性的に吊支された外槽と、前記外槽内に回転自在に支持されると共に衣類が投入される内槽と、前記内槽の底部に回転自在に設けられた回転翼と、前記回転翼を駆動する駆動手段と、前記内槽内に送風する送風手段と、前記送風手段により送風される空気を加熱する加熱手段と、前記送風手段の上流側に配され花粉を捕集する花粉捕集フィルタと、前記送風手段による送風を行いながら、前記回転翼を前記駆動手段で同一回転方向に第１の目標回転数と第２の目標回転数で回転数を変動させながら回転駆動する第１のシーケンスと、同一回転数で左右同一反転を連続的に繰り返す第２のシーケンスとを連続的に繰り返し行うコースを有するもので、送風手段による風で舞い上がっている経路内の花粉を花粉捕集フィルタでろ過して捕集するだけでなく、第１、第２のシーケンスで繰り返し駆動される回転翼の回転により衣類から花粉を効率よくふるい落とし、外槽底部に沈降回収する除去手段を持つことで、花粉を衣類からより効率的に除去する事ができる。
【０００９】
第２の発明は、特に、第１の発明の第１の目標回転数よりも第２の目標回転数の方を大きく設定したもので、順に回転翼の回転数を上げていくことで、衣類に回転力が急激に加わることによる滑りや空回りを防ぎ、衣類の転動をより確実に大きくすることができる。
【００１０】
第３の発明は、特に、第１又は第２の発明の第１の目標回転数で駆動する時限よりも第２の目標回転数で駆動する時限の方を長く設定したもので、槽内の衣類を上下に大きく転動させることができるようになり、衣類の量が多くて機械力が内槽の下方にしか加わらないことによる花粉除去性能の低下、ムラ、バラツキ等をなくすことができる。
【００１１】
第４の発明は、特に、第１〜３のいずれか１つの発明の内槽に投入された衣類の量を検知する布量検知手段を備え、前記衣類の量に応じて第１のシーケンスと第２のシーケンスにおける回転翼の回転時限または／および運転時間を変化させるもので、特に外干し衣類を仕上げで花粉除去したいなど、衣類の傷みに配慮が必要な場合に、回転翼の左右回転時の攪拌の強さまたは回転時間が衣類の量に合わせて自動的に調整されるので、衣類の仕上がりよく花粉を除去できる。
【００１２】
以下、本発明の実施の形態について、図面を参照しながら説明する。なお、この実施の形態によって本発明が限定されるものではない。
【００１３】
（実施の形態１）
図１は、本発明の実施の形態１における洗濯乾燥機の側断面図である。
【００１４】
図１において、洗濯機の筐体１は、サスペンション２により外槽３をその内部に弾性的に吊支している。外槽３に回転自在に支持された内槽５は、側壁に多数の脱水孔６を有するとともに、内周の上部に流体バランサ７を有し、中央底部には外周を傾斜面としたナベ型状に形成した回転翼８が配設されている。この回転翼８の表面には、多数の水抜き穴９が設けられている。
【００１５】
内槽５、回転翼８を回転駆動する駆動手段は、伝達機構部１０およびモータ１１からなる。伝達機構部１０は、内部に洗濯時の減速ギア（図示せず）および洗濯・脱水軸４の切り換えクラッチ（図示せず）を内蔵している。モータ１１は外槽３の底部に取り付けられ、その動力を、中空で２軸構造となっている洗濯・脱水軸４に伝達する。
【００１６】
布量検知手段（図示せず）は、内槽５に投入された衣類ごと回転翼８を回転させ、その時にモータ１１にかかるトルクおよび惰性回転レベルを確認して、衣類の量を検知するものである。
【００１７】
送風手段である送風ファン１２は、加熱手段であるヒータ１３で温められた空気をダクト１４を通して内槽５に送り込むものである。花粉捕集フィルタ１５は、送風ファン１２の上流側即ち、吸気側に設けられている。外槽３の上方には、衣類投入フタ１７を設けた外槽カバー１６が配設されている。
【００１８】
この外槽カバー１６上には、送風ファン１２によって内槽５内に送りこまれた空気を外部に排出するための排気部１６ａが配設されており、そこには排気フィルタ１８が設けられている。送風ファン１２の吸気は、洗濯乾燥機の外気と、この排気フィルタ１８からの排気の両方を吸い込む構成になっている。また外槽３の底面には、外槽３内に貯水された水を排出するための排水手段１９が設けられている。
【００１９】
なお、洗濯乾燥機内には、前記駆動手段、前記送風手段、前記加熱手段の動作を制御するための制御手段（図示せず）が配設されている。
【００２０】
以上のように構成された洗濯乾燥機について、その動作、作用を説明する。
【００２１】
本洗濯乾燥機は、衣類の仕上げ手段として、外干しした衣類に付いた花粉を除去する「外干し仕上げ」コースと、乾燥すると同時に衣類に残存する花粉を除去する「花粉除去乾燥」コースを備えている。まず、外干しした衣類に付いた花粉を除去する場合について説明する。
【００２２】
外干しした衣類には、大気中を飛散する花粉が付着する。花粉の飛散は、２月〜６月にかけてのスギ、ヒノキ科による花粉が、飛散量から見ても特に多いが、ほぼ一年中、アレルゲンとなりうる何かの植物の花粉が飛散している。外干しした衣類をとり込む際に、花粉が室内に持ち込まれ、これを吸い込むことで花粉症の症状をさらに悪化させる事はよく知られている。外干しした衣類には、スギ花粉飛散ピーク時には、Ｔシャツ１枚あたり１０００〜２０００個の花粉が付着する可能性がある。
【００２３】
外干し衣類に付着した花粉を除去するためには、まず衣類投入フタ１７を開けて、内槽５内に外干しした衣類を投入する。次に外干し衣類の花粉除去仕上げを行うコースを選択し、所定の運転を行う。このコースは、回転翼８の駆動と送風ファン１２による送風を伴う動作で運転される。風を発生させて花粉捕集フィルタ１５で花粉を捕集するだけでなく、回転翼８の動きにより投入された衣類を揺さぶって花粉を沈降させる。これは、花粉は大気中ではその比重から沈降しやすい性質を利用したものである。
【００２４】
揺さぶられて沈降していく花粉は、脱水孔６および水抜き穴９を通り抜け、外槽５の底に回収される。外干しや着用後の衣類を室内に持ち込む際に、屋外で振り払って花粉を落とすと効果的であるが、回転翼８の駆動は、これをより高い能力で機械的、自動的に花粉を衣類より取り除くもので、花粉症の人が外で花粉を振り払う行為自体に無理があるので、この機能は極めて有用である。
【００２５】
ここで外槽５の底に回収された花粉の多くは、そのアレルゲン物質が水溶性のため、次の洗濯時に多量の水に溶解して、排水手段１９より機外に流されてしまう。浮遊する花粉については、送風ファン１２による送風に乗って排気フィルタ１８を通り抜け、送風ファン１２の吸気側に配設された花粉捕集フィルタ１５にて捕集される。
【００２６】
なお、外干し衣類に熱をかけて仕上げ乾燥する場合も、動作としては同様である。
【００２７】
次に、選択乾燥機を洗濯から乾燥までを通して運転した場合について説明する。
【００２８】
洗濯運転時には、衣類に残留する花粉がたとえあったとしても、洗い流されてしまうためほとんど残らない。そのまま乾燥行程に進むため、衣類に付着する花粉は、乾燥用に吸気される空気中に含まれるものがほとんどとなる。この場合、吸気される空気の全てが送風ファン１２の吸気側に配設された花粉捕集フィルタ１５を通過する為、ここで所定の集塵効率で捕集される。
【００２９】
これを通過して花粉が内槽５に侵入した場合には、衣類がほぼ乾燥終了に近い状態となった場合に、前述の外干しした衣類に付いた花粉を除去する場合と同様のメカニズムで、外槽５の底に回収または花粉捕集フィルタ１５で捕集される。
【００３０】
いずれの場合においても、これらの動作を経て、パルセータ方式で衣類に付いた花粉を除去することが可能となるが、回転翼８の衣類の揺さぶりによる除去は、衣類量が多い場合には、全体にムラなく機械力を与えるのが難しい。前述のドラム方式では、ドラム全体が回転するため、比較的均一に衣類に機械力が加わるが、パルセータ方式では、その構造上、衣類の一部である内槽５の底部のみに機械力が加わってしまう。
【００３１】
これを解消するためには、衣類全体を内槽５内で転動させ、なるべく機械力が局所的に加わるのを防止する必要がある。そこで、衣類量が多くても衣類全体を内槽５内で転動させることができる最適化された回転翼８の回転シーケンスを持ち、揺さぶりと転動を繰り返すようにする。
【００３２】
具体的には、回転翼８を前記駆動手段で同一回転方向に第１の目標回転数と、その回転数と異なる第２の目標回転数で回転数を変動させながら回転させる駆動を有する転動目的の第１のシーケンスと、同一回転数で左右同一反転を連続的に繰り返す揺さぶりによる花粉除去目的の第２のシーケンスとを連続的に繰り返し行うようにした。第１のシーケンスは衣類全体を大きく転動させるのに十分な、通常の攪拌よりも長い時間の駆動時限をとり、第２のシーケンスは、左右同一反転の繰り返しによって、揺さぶり効果を引き出している。
【００３３】
また、前記第１の目標回転数よりも前記第２の目標回転数の方を大きく設定した場合、まず前記第１の目標回転数で衣類全体を回転翼８に乗せて、次に前記第２の目標回転数で回転させることで、衣類に回転力が急激に加わることによる滑りや空回りを防ぎ、衣類の転動をより確実に大きくすることができる。
【００３４】
また、前記第１の目標回転数で駆動する時限よりも前記第２の目標回転数で駆動する時限の方を大きく設定する事により、内槽５内の衣類を上下に大きく転動させるため、衣類の量が多くて機械力が内槽５の下方にしか加わらないことによる花粉除去性能の低下、ムラ、バラツキ等をなくすことができるものである。
【００３５】
投入された衣類を揺さぶって花粉を沈降させる回転翼８の動きの一例を図２に示した。
【００３６】
なお、今回の実施の形態においては、回転翼８の攪拌時限を、外干しした衣類に付いた花粉を除去する場合と洗濯乾燥スルー運転の場合で、同一のものとした。
【００３７】
また、送風手段による送風を行いながら、回転翼８を駆動する動作を行う前に、内槽５に投入された衣類の量を布量検知手段で検知し、その衣類の量に応じて前記第１のシーケンスと第２のシーケンスにおける回転翼の回転時限または運転時間を変化させるようにすれば、特に外干し衣類を仕上げで花粉除去したいなど、衣類の傷みに配慮が必要な場合に、回転翼の左右回転時の攪拌の強さまたは回転時間が衣類の量に合わせて調整され、衣類の仕上がりよく花粉を除去できるようになる。
【産業上の利用可能性】
【００３８】
以上のように、本発明にかかる洗濯乾燥機は、衣類に付着した花粉や、送風手段で洗濯槽内に吸い込まれる花粉を、最適化された回転翼の回転により衣類から効率よくまた、ムラ無くふるい落として、アレルゲンを除去することができるもので、家庭用、業務用の洗濯乾燥機に広く適用できる。
【図面の簡単な説明】
【００３９】
【図１】本発明の実施の形態１における洗濯乾燥機の側断面図
【図２】同洗濯乾燥機の回転翼の左右回転動作タイムテーブルを示す図
【符号の説明】
【００４０】
１  筐体
３  外槽
５  内槽
８  回転翼
１１  モータ（駆動手段）
１２  送風ファン（送風手段）
１３  ヒータ（加熱手段）
１５  花粉捕集フィルタ
１８  排気フィルタ
【図１】
2006000356.tif 000003
【図２】
2006000356.tif 000004